(57)【要約】【課題】どのリモコン信号受信装置を介して入力された情報かをサーバ装置などの他の装置にて把握することができなかった。【解決手段】ＩＤ情報を保持するＩＤ情報保持部と、リモコン信号を受信するリモコン信号受信部と、受信したリモコン信号に応じた情報とＩＤ情報保持部に保持されているＩＤ情報とを含む処理情報をブラウザ装置に読取可能に出力する処理情報出力部と、を有するリモコン信号受信装置を提供する。リモコン信号受信装置が保持するＩＤ情報を含めた情報をブラウザ装置に出力することで、どのリモコン信号受信装置にて受信した情報であるかをその後の処理にて活用することができるため、多彩なサービスを実現させることが可能となる。【選択図】図１４
2007324928.tif 000002
【特許請求の範囲】
【請求項１】
ＩＤ情報を保持するＩＤ情報保持部と、
リモコン信号を受信するリモコン信号受信部と、
受信したリモコン信号に応じた情報と、ＩＤ情報保持部に保持されているＩＤ情報と、を含む処理情報をブラウザ装置に読取可能に出力する処理情報出力部と、
を有するリモコン信号受信装置。
【請求項２】
ＵＲＬ情報を保持するＵＲＬ情報保持部を有し、
前記ＩＤ情報は、前記ＵＲＬ情報で示されるサーバ装置が識別可能なＩＤ情報である請求項１に記載のリモコン信号受信装置。
【請求項３】
前記処理情報出力部は、
処理情報として、前記ＵＲＬ情報で示されるサーバ装置に対してアクセスするための情報であるアクセス情報を出力するアクセス情報出力手段を有する請求項２に記載のリモコン信号受信装置。
【請求項４】
前記処理情報出力部は、キーボード信号形式で前記処理情報を出力するキーボード形式信号出力手段を有する請求項１から３のいずれか一に記載のリモコン信号受信装置。
【請求項５】
前記処理情報出力部は、ＵＳＢ接続によってブラウザ装置に対して処理情報を出力するＵＳＢ出力手段を有する請求項１から４のいずれか一に記載のリモコン信号受信装置。
【請求項６】
ブラウザ装置と別体の筐体に各部が収納された後付型である請求項１から５のいずれか一に記載のリモコン信号受信装置。
【請求項７】
請求項３から６のいずれか一に記載のリモコン信号受信装置と、前記ブラウザ装置と、前記ＵＲＬ情報で示されるサーバ装置と、からなる情報システムであって、
前記ブラウザ装置は、
前記リモコン信号受信装置から出力されるアクセス情報に含まれるＩＤ情報及び、処理情報のうち受信したリモコン信号に応じた情報の全部又は一部であるリモコン情報を前記サーバ装置に出力する処理情報転送部を有し、
前記サーバ装置は、前記ブラウザ装置の処理情報転送部から転送された処理情報に含まれるＩＤ情報と、リモコン情報とを関連付けて管理する管理部を有する情報システム。
【請求項８】
前記リモコン信号受信装置のアクセス情報出力手段は、リモコン信号に応じて取得される前記ＵＲＬ情報と異なる他のＵＲＬ情報をサーバ装置にて識別させるための他ＵＲＬ情報識別情報を含むアクセス情報を出力する他ＵＲＬ情報出力器を有し、
前記ブラウザ装置の処理情報転送部は、他ＵＲＬ情報識別情報をリモコン情報として転送する他ＵＲＬ情報識別情報転送手段を有する請求項７に記載の情報システム。
【請求項９】
前記サーバ装置は、取得する処理情報に含まれる他ＵＲＬ情報識別情報により識別される他ＵＲＬ情報により示される情報を前記ブラウザ装置に出力する他情報出力部を有する請求項８に記載の情報システム。
【請求項１０】
請求項７から９のいずれか一に記載のサーバ装置。
【請求項１１】
ＩＤ情報を保持するリモコン信号受信装置の動作方法であって、
リモコン信号を受信するリモコン信号受信ステップと、
受信したリモコン信号に応じた情報と、保持しているＩＤ情報と、を含む処理情報をブラウザ装置に読取可能に出力する処理情報出力ステップと、
を有するリモコン信号受信装置の動作方法。
【請求項１２】
さらにＵＲＬ情報を保持するリモコン信号受信装置の動作方法であって、
前記ＩＤ情報は、前記ＵＲＬ情報で示されるサーバ装置が識別可能なＩＤ情報である請求項１１に記載のリモコン信号受信装置の動作方法。
【請求項１３】
前記処理情報出力ステップは、
処理情報として、前記ＵＲＬ情報で示されるサーバ装置に対してアクセスするための情報であるアクセス情報を出力するアクセス情報出力ステップを有する請求項１２に記載のリモコン信号受信装置の動作方法。
【請求項１４】
前記処理情報出力ステップは、キーボード信号形式で前記処理情報を出力するキーボード形式信号出力ステップを有する請求項１１から１３のいずれか一に記載のリモコン信号受信装置の動作方法。
【請求項１５】
前記処理情報出力ステップは、ＵＳＢ接続によってブラウザ装置に対して処理情報を出力するＵＳＢ出力ステップを有する請求項１１から１４のいずれか一に記載のリモコン信号受信装置の動作方法。
【請求項１６】
請求項１１から１５のいずれか一に記載の動作方法を実行するリモコン信号受信装置と、前記ブラウザ装置と、前記ＵＲＬ情報で示されるサーバ装置と、からなる情報システムの動作方法であって、
前記ブラウザ装置に、
前記リモコン信号受信装置から出力されるアクセス情報に含まれるＩＤ情報及び、処理情報のうち受信したリモコン信号に応じた情報の全部又は一部であるリモコン情報を前記サーバ装置に出力する処理情報転送ステップを実行させ、
前記サーバ装置に、前記ブラウザ装置の処理情報転送ステップにて転送された処理情報に含まれるＩＤ情報と、リモコン情報とを関連付けて管理する管理ステップを実行させる情報システムの動作方法。
【請求項１７】
前記リモコン信号受信装置のアクセス情報出力ステップは、リモコン信号に応じて取得される前記ＵＲＬ情報と異なる他のＵＲＬ情報をサーバ装置にて識別させるための他ＵＲＬ情報識別情報を含むアクセス情報を出力する他ＵＲＬ情報出力ステップを有し、
前記ブラウザ装置の処理情報転送ステップは、他ＵＲＬ情報識別情報をリモコン情報として転送する他ＵＲＬ情報識別情報転送ステップを有する請求項１６に記載の情報システムの動作方法。
【請求項１８】
前記サーバ装置に、取得する処理情報に含まれる他ＵＲＬ識別情報により識別される他ＵＲＬ情報により示される情報を前記ブラウザ装置に出力する他情報出力ステップを実行させる請求項１７に記載の情報システムの動作方法。
【請求項１９】
リモコン装置と、リモコン信号受信装置と、からなるリモコンシステムであって、
リモコン装置は、
リモコン信号とともに、リモコン装置を識別するためのリモコン装置識別情報を送信するリモコン信号送信部を有し、
リモコン信号受信装置は、
ＩＤ情報を保持するＩＤ情報保持部と、
リモコン信号を受信するリモコン信号受信部と、
受信したリモコン信号及びリモコン装置識別情報に応じた情報と、ＩＤ情報保持部に保持されているＩＤ情報と、を含む処理情報をブラウザ装置に読取可能に出力する第二処理情報出力部と、
を有する
リモコンシステム。
【発明の詳細な説明】
【技術分野】
【０００１】
本発明は、ＩＤ情報を出力可能なリモコン信号受信装置及びこれを用いた情報システムに関する。
【背景技術】
【０００２】
従来、リモコン装置とリモコン信号受信装置との間においてはＩＤ情報を用いた処理が行われている。例えば特許文献１には、同種の電化製品を操作する場合の誤作動を防止するためにリモコン信号の送信側と受信側とで共通のＩＤを利用することについての発明が開示されている。
【特許文献１】特開平５−３０８６７８号公報
【発明の開示】
【発明が解決しようとする課題】
【０００３】
しかしながら、従来技術では、リモコン装置から送信されるＩＤ情報は、リモコン信号受信装置にて、どの電化製品に対応するリモコン装置であるかを判断するために用いられているものであり、いわばリモコン装置とリモコン信号受信装置との間での閉じられた環境内でしか利用されていなかった。つまり、リモコン信号受信装置のＩＤ情報を他の装置で利用するという概念自体が存在していなかった。このため、リモコン信号受信装置からの信号を受け取るその後の機器においては、リモコン信号受信装置のＩＤ情報を利用することができずに、有益な使用方法がなされていなかった。
【０００４】
そこで、本発明は、かかる課題に鑑みてなされたものであり、リモコン信号受信装置が自身のＩＤ情報を出力することによって、どのリモコン信号受信装置を介して入力された情報かをサーバ装置などの他の装置にて把握することが可能なリモコン信号受信装置及び情報システムを提供することを目的とする。
【課題を解決するための手段】
【０００５】
そこで、本発明においては、かかる課題を解決するために、ＩＤ情報を保持するＩＤ情報保持部と、リモコン信号を受信するリモコン信号受信部と、受信したリモコン信号に応じた情報とＩＤ情報保持部に保持されているＩＤ情報とを含む処理情報をブラウザ装置に読取可能に出力する処理情報出力部と、を有するリモコン信号受信装置を提供する。リモコン信号受信装置が保持するＩＤ情報を含めた情報をブラウザ装置に出力することで、どのリモコン信号受信装置にて受信した情報であるかをその後の処理にて活用することができるため、多彩なサービスを実現させることが可能となる。
【０００６】
なお、処理情報出力部は、処理情報として、前記ＵＲＬ情報で示されるサーバ装置に対してアクセスするための情報であるアクセス情報を出力してもよい。また、処理情報出力部は、キーボード信号形式で前記処理情報を出力してもよい。また、処理情報出力部は、ＵＳＢ接続によってブラウザ装置に対して処理情報を出力してもよい。また、リモコン信号受信装置は、ブラウザ装置と別体の筐体に各部が収納された後付型であってもよい。
【０００７】
また、他の発明として、リモコン信号受信装置と、ブラウザ装置と、ＵＲＬ情報で示されるサーバ装置と、からなる情報システムを提供する。ブラウザ装置は、リモコン信号受信装置から出力されるアクセス情報に含まれるＩＤ情報及び、処理情報のうち受信したリモコン信号に応じた情報の全部又は一部であるリモコン情報を前記サーバ装置に出力する処理情報転送部を有し、サーバ装置は、ブラウザ装置の処理情報転送部から転送された処理情報に含まれるＩＤ情報と、リモコン情報とを関連付けて管理する管理部を有する。ブラウザ装置がＩＤ情報を含むアクセス情報を用いてサーバ装置にアクセスすることによって、サーバ装置では、どのリモコン信号受信装置を通じてアクセスされたかを判断することができる。
【０００８】
なお、リモコン信号受信装置のアクセス情報出力手段は、リモコン信号に応じて取得されるＵＲＬ情報と異なる他のＵＲＬ情報をサーバ装置にて識別させるための他ＵＲＬ情報識別情報を含むアクセス情報を出力してもよく、前記ブラウザ装置の処理情報転送部は、他ＵＲＬ情報識別情報をリモコン情報として転送してもよい。また、サーバ装置は、取得する処理情報に含まれる他ＵＲＬ識別情報により識別される他ＵＲＬ情報により示される情報を前記ブラウザ装置に出力してもよい。
【０００９】
また、他の発明として、リモコン装置と、リモコン信号受信装置と、からなるリモコンシステムを提供する。リモコン装置は、リモコン信号とともに、リモコン装置を識別するためのリモコン装置識別情報を送信するリモコン信号送信部を有し、リモコン信号受信装置は、ＩＤ情報を保持するＩＤ情報保持部と、リモコン信号を受信するリモコン信号受信部と、受信したリモコン信号及びリモコン装置識別情報に応じた情報と、ＩＤ情報保持部に保持されているＩＤ情報と、を含む処理情報をブラウザ装置に読取可能に出力する第二処理情報出力部と、を有する。
【発明の効果】
【００１０】
本発明においては、リモコン信号受信装置に保持されているＩＤ情報を、受信したリモコン信号に応じた情報とともにブラウザ装置に対して出力することにより、ブラウザ装置などの他の装置にてリモコン信号を受信したリモコン信号受信装置を一意に特定することが可能となる。さらには、このＩＤ情報を含めた情報がブラウザ装置からサーバ装置に対して送られることによって、サーバ装置では、どのリモコン信号受信装置を利用してアクセスしてきたかを把握することができるため、アクセスしたユーザを特定することが可能となる。サーバ装置にてユーザを特定することで、例えば販促活動や各種統計などにおける有益な情報として活用することが可能となる。
【発明を実施するための最良の形態】
【００１１】
以下に、各発明の実施の形態を説明する。なお、本発明はこれら実施の形態に何ら限定されるものではなく、その要旨を逸脱しない範囲において、種々なる態様で実施しうる。
【００１２】
なお、以下の実施形態と請求項の関係は次の通りである。実施形態１は、主に請求項１、４、５、６、１１、１４、１５などについて説明する。実施形態２は、主に請求項２、３、１２、１３などについて説明する。実施形態３は、主に請求項７、１０、１６などについて説明する。実施形態４は、主に請求項８、１７などについて説明する。実施形態５は、主に請求項９、１８などについて説明する。実施形態６は、主に請求項１９について説明する。
【００１３】
<<実施形態１>>
<実施形態１の概要>
本実施形態は、ＩＤ情報を保持するリモコン信号受信装置に関するものである。図１は本実施形態のリモコン信号受信装置０１０２の利用例を示す図である。リモコン装置０１０１からは、リモコン信号受信装置０１０２に対してリモコン信号が送信される。リモコン信号受信装置０１０２は、ＩＤ情報を保持しており、リモコン信号を受信した場合にはそのリモコン信号に応じた情報とＩＤ情報とを含めた処理情報をブラウザ装置０１０３に対して送信する。ブラウザ装置においては、受信したリモコン信号に応じて各種の操作を行うことができる。
【００１４】
<実施形態１の構成>
図２に本実施形態における機能ブロックの一例を示す。図２に示す本実施形態の「リモコン信号受信装置」（０２００）は、「ＩＤ情報保持部」（０２０１）と、「リモコン信号受信部」（０２０２）と、「処理情報出力部」（０２０３）と、を有する。
【００１５】
「ＩＤ情報保持部」０２０１は、ＩＤ情報を保持する。ＩＤ情報とは、リモコン信号受信装置を識別するための情報である。ＩＤ情報は、例えば製品のシリアル番号や、これに準ずる識別情報が挙げられ、リモコン信号受信装置を一意に識別することができる情報である。このＩＤ情報は、例えばＲＯＭなどの書換え不能な耐タンパー性の領域に保持されていることが好ましい。つまり、ＩＤ情報は、リモコン信号受信装置の製造時点において書き込まれ、その後改変されることがない情報であることが好ましい。よって、このＩＤ情報を活用することによって、リモコン信号受信装置を一意に特定することが可能となる。なお、場合によっては製造後にＩＤ情報を保持する構成となっていてもよい。このように、ＩＤ情報は、リモコン信号受信装置を一意に識別するための情報であるため、例えば同種の番号が複数存在する型番とは異なる概念の情報である。ＩＤ情報保持部の具体例としては、書換え不能なＲＯＭが挙げられる。
【００１６】
「リモコン信号受信部」０２０２は、リモコン信号を受信する。リモコン信号とは、近距離の通信で用いられる信号のことであり、例えば赤外線通信にて用いられる信号のことである。あるいは、Bluetooth（登録商標）を用いた無線通信で用いられる信号であってもよい。リモコン信号は、図外のリモコン装置から送信される。本実施形態の特徴として、リモコン信号を送信するリモコン装置ではなく、リモコン信号を受信するリモコン信号受信装置にＩＤ情報が保持されており、このＩＤ情報を利用することが挙げられる。これは、リモコン装置がインターネット閲覧装置（ブラウザ装置）の入力インタフェースとなる場合に特に有用となる。つまり、大勢が一堂に会するリビングなどで後述するブラウザ装置を利用する場合には、離れた箇所にあるキーボードやマウスをわざわざ操作することを回避するためにリモコン装置を利用する場合が想定される。また、近年では、携帯電話端末に赤外線通信アプリケーションをダウンロードすることで、携帯電話端末がリモコン装置となる場合が増えている。よって、多数の人間が各自のリモコン装置を用いて操作を行う場合がある。すると、リモコン信号の入口側のリモコン装置と、リモコン信号の出口側のリモコン信号受信装置との関係は、いわばＮ：１の関係が成立すると考えられる。この場合に、後者のリモコン信号受信装置にＩＤ情報を保持し、そのＩＤ情報を利用することで、例えばどの家庭に設置してあるリモコン信号受信装置にて受信したリモコン信号であるかを容易に判断することができる。
【００１７】
「処理情報出力部」０２０３は、受信したリモコン信号に応じた情報と、ＩＤ情報保持部に保持されているＩＤ情報と、を含む処理情報をブラウザ装置に読取可能に出力する。「受信したリモコン信号に応じた情報」には、様々な情報が含まれる。例えば、文字入力を行うための情報であったり、マウスカーソルを動作させるための情報などである。これらの情報は、例えば赤外線信号として受光器の受光素子が受け取った信号を、リモコン信号受信装置の制御チップなどで有意味な情報として変換されることで生成される。本実施形態や以降の実施形態においては、リモコン信号に応じた情報は文字入力を行うための情報であることを想定して説明を行う。「処理情報」は、このリモコン信号に応じた情報と、ＩＤ情報とを含む情報のことである。つまり、処理情報には、リモコン装置から送信されるリモコン信号にプラスして、リモコン信号受信装置自身のＩＤ情報が含まれることになる。そして、「処理情報をブラウザ装置に読取可能に出力する」とは、ブラウザ装置にて処理情報を認識して、その後の処理などに利用することが可能である態様で出力することを意味する。つまり、ＩＤ情報は例えば耐タンパー性の領域などに格納されているため、場合によってはブラウザ装置にて読取ることが不可能な状態として保持されていることが想定されるが、このように読み取ることが不可能な状態であったとしても、制御チップなどで変換処理を行ってブラウザ装置にて読取ることが可能な態様で出力する。なお、「ブラウザ装置」とは、インターネットを閲覧するブラウザ機能を有している装置のことであり、具体的にはＰＣ（Personal Computer）や、ゲーム装置などが挙げられる。
【００１８】
処理情報をブラウザ装置に読取可能に出力する具体的な態様の例としては、キーボード信号形式で処理情報を出力することが挙げられる。つまり、構成を明確にすると、処理情報出力部は、キーボード信号形式で前記処理情報を出力するキーボード形式信号出力手段を有していてもよい。「キーボード信号」とは、例えばキーボードの各ボタンを押下した場合に出力される信号のことであり、キーコードと呼ばれる各キーに対応したキーボードのコードを示す信号のことである。図３は、キーコードの一例を示す図である。図３に示すように各キーボードにはそれぞれキーコードが付されており、例えば「Ａ」と刻印されているボタンを押下した場合には、キーボードからキーコード「６５」のボタンが押下されたという信号が出力されることになる。また、文字に関するキーだけではなく、例えばキーコード「４０」のように、カーソルキーもキーコードを有しているものである。このように、キーボード信号形式の処理情報をブラウザ装置に対して出力することによって、ブラウザ装置にて、受信する処理情報を基にキー入力処理を行うことができる。そして、このようにキーボード信号形式で処理情報を出力することによって、ＩＤ情報をもブラウザ装置に対してキー入力された情報として取り扱うことができる。より詳細な態様については後の実施形態において説明を行うものとする。
【００１９】
なお、リモコン信号受信装置とブラウザ装置とは、例えばＵＳＢ（Universal Serial Bus）規格に準拠した接続をすることができる。図４は、本実施形態におけるリモコン信号受信装置の具体的な形態を示す図である。図４で示すように、リモコン信号受信装置はＵＳＢコネクタを有するケーブルを有している。より構成を明確にすると、処理情報出力部は、ＵＳＢ接続によってブラウザ装置に対して処理情報を出力するＵＳＢ出力手段を有している。ＵＳＢで接続が可能であるため、既存のＰＣなどに容易に取り付けることが可能となる。
【００２０】
なお、リモコン信号受信装置は、ブラウザ装置と別体の筐体に各部が収納された後付型であってもよい。例えば、既に説明したようにリモコン信号受信装置は、ＵＳＢにて接続することが可能であるため、後付型として既存のＰＣに容易に取り付けることが可能である。図５は、このようなリモコン信号受信装置を用いた利用形態の概要を示す図である。図５で示すように、リモコン信号受信装置０５０１は、後付型としてブラウザ装置０５０２に接続される。なお、図５で示すように、通常リビングなどにおいては、ユーザはブラウザ装置０５０２から離れたソファーなどに腰をかけた状態でブラウジング処理を所望する。そして、リモコン信号受信装置０５０１を利用することで、ソファーに腰をかけた状態でブラウジングを行うことができる。
【００２１】
なお、本実施形態でいうところのＩＤ情報は、リモコン信号受信装置のＩＤ情報のことであり、ブラウザ装置などのコンピュータ装置の識別情報とは別個の概念であるとして明確に区別されるものである。つまり、ブラウザ装置においては、各種通信を確立する場合などにおいて、ブラウザ装置の識別情報（ＩＰアドレス、ＭＡＣアドレス等）が用いられる場合があるが、本実施形態のＩＤ情報はリモコン信号受信装置のＩＤ情報であり、両者は明確に区別される。例えば、ブラウザ装置がウェブを閲覧する場合には、必然的にＩＰアドレスなどの情報を外部に出力することになるが、仮に本実施形態のリモコン信号受信装置からの処理情報を基にウェブ閲覧する場合には、ＩＰアドレスなどの情報に加えてＩＤ情報を別個の概念として出力することができるのである。
【００２２】
<実施形態１の処理の流れ>
図６は、本実施形態におけるリモコン信号受信装置の処理の流れの一例を示す図である。本実施形態における処理は、以下に示すステップよりなる。なお、以下に示す処理の流れは、計算機に実行させるためのプログラム、またはそのプログラムが記録された読み取り可能な記録媒体として実施されうる（以下、本明細書における処理の流れの記載についても同様である）。
【００２３】
まず、リモコン装置などからリモコン信号を受信する（Ｓ０６０１）。そして、Ｓ０６０２にて受信したリモコン信号に応じた情報を取得する（Ｓ０６０２）。そして、保持している自身のＩＤ情報を取得する（Ｓ０６０３）。なお、Ｓ０６０２とＳ０６０３とは、同時に平行して行われてもよいし、Ｓ０６０３を実行した後に、Ｓ０６０２のステップを実行するとしてもよい。そして、Ｓ０６０４にて取得したリモコン信号に応じた情報と、Ｓ０６０３にて取得したＩＤ情報とを含む処理情報を生成する（Ｓ０６０４）。そして、Ｓ０６０４にて生成した処理情報を、例えばキーボード信号形式でブラウザ装置に読取可能に出力する（Ｓ０６０７）。なお、本実施形態におけるリモコン装置は、常にＩＤ情報を出力しなくてもよい。例えば、特定の種別のリモコン信号を受信した場合にのみ、ＩＤ情報を処理情報に含めて送信するとしてもよい。
【００２４】
<実施形態１の効果>
本実施形態におけるリモコン信号受信装置は、自身が保持しているＩＤ情報と、リモコン信号に応じた情報を含む処理情報を出力することが可能であるため、処理情報を受信したブラウザ装置にてどのリモコン信号受信装置から受信した処理情報であるかを特定することができる。その他の効果については、後述する各実施形態にて説明するため、ここでの説明は省略する。
【００２５】
<<実施形態２>>
<実施形態２の概要>
本実施形態は、ＩＤ情報がサーバ装置にて識別可能な情報であることを特徴とするものである。つまり、ブラウザ装置からアクセスをするサーバ装置において、リモコン信号受信装置のＩＤ情報を識別することが可能であることを特徴とする。サーバ装置にてＩＤ情報を識別可能にすることにより、どのユーザがアクセスしてきたかをサーバ装置にて管理することが可能となる。
【００２６】
<実施形態２の構成１>
図７に本実施形態における機能ブロックの一例を示す。図７に示す本実施形態の「リモコン信号受信装置」（０７００）は、「ＩＤ情報保持部」（０７０１）と、「リモコン信号受信部」（０７０２）と、「処理情報出力部」（０７０３）と、「ＵＲＬ情報保持部」（０７０４）と、を有する。ＵＲＬ情報保持部０７０４を除く各構成については実施形態１で説明したものと同様であるため、ここでの説明は省略する。
【００２７】
「ＵＲＬ情報保持部」０７０４は、ＵＲＬ情報を保持する。ＵＲＬ情報とは、インターネットのＵＲＬ（Uniform Resource Locator）に関する情報のことである。ＵＲＬ情報には、例えば「http://lipii.jp/」のように、HTTPプロトコルを示す部分が含まれていてもよいし、「lipii.jp/」のように、サーバ名のみについての情報であってもよい。また、ＵＲＬ情報は、ＩＰアドレスそのものを用いた情報であってもよい。そして、前記ＩＤ情報は、前記ＵＲＬ情報で示されるサーバ装置が識別可能なＩＤ情報である。つまり、ＩＤ情報はブラウザ装置にて読取可能な情報であるとともに、サーバ装置においても識別可能な情報である。「サーバ装置が識別可能」とは、サーバ装置がそのＩＤ情報を取得して、どのリモコン信号受信装置を経由してアクセスされたかなどをサーバ装置にて識別することが可能なことを意味する。例えば、ＩＤ情報はサーバ装置に対してＨＴＴＰプロトコルを利用してアクセスする場合のコマンドパラメータとしてサーバ装置に対して送信される情報に含まれてもよいし、あるいは、ＨＴＴＰプロトコルを利用してアクセスする場合の絶対パスや相対パスに含まれてもよい。
【００２８】
<実施形態２の構成２>
次に、ＵＲＬ情報で示されているサーバ装置に対してブラウザ装置がアクセスする場合の構成例について説明する。図８は、かかる構成例を示す機能ブロック図である。図８に示す「リモコン信号受信装置」（０８００）は、「ＩＤ情報保持部」（０８０１）と、「リモコン信号受信部」（０８０２）と、「処理情報出力部」（０８０３）と、「ＵＲＬ情報保持部」（０８０４）と、を有する。処理情報出力部０８０３は、「アクセス情報出力手段」（０８０５）を有する。アクセス情報出力手段０８０５を除く各構成については、先の実施形態で説明したものと同様であるため、ここでの説明は省略する。
【００２９】
「アクセス情報出力手段」０８０５は、処理情報として、前記ＵＲＬ情報で示されるサーバ装置に対してアクセスするための情報であるアクセス情報を出力する。処理情報としてアクセス情報を出力するため、アクセス情報にもＩＤ情報やリモコン信号に応じた情報が含まれることになる。また、アクセス情報は、ＵＲＬ情報保持部に保持されているＵＲＬ情報で示されるサーバ装置に対してアクセスするための情報である。図９は、アクセス情報の具体的な例を示した図である。図９においては、リモコン装置０９３０からリモコン信号がリモコン信号受信装置０９２０に対して送信される。すると、リモコン信号受信装置０９２０では、保持されているＵＲＬ情報とＩＤ情報を含めたアクセス情報（処理情報）を例えばキーボード信号形式でブラウザ装置０９１０に対して送信する。このような情報を受けたブラウザ装置０９１０では、ＩＤ情報が含まれたアクセス情報を用いて図外のサーバ装置（http://lipii.jp/でアクセス可能なサーバ装置）に対してアクセスする。するとサーバ装置では様々な処理動作を行うことができる。例えば、ＩＤ情報で識別されるユーザに特化した固有のページをブラウザ装置に対して送信することができる。あるいは、後の実施形態で説明するように、ＩＤ情報以外の情報を用いて、ブラウザ装置に閲覧させるページを他のウェブページに転送させるとともに、ＩＤ情報と転送先のＵＲＬ情報とを管理することも可能である。この結果、どのリモコン信号受信装置（ユーザ）を、どのウェブページに対して転送させたかについての情報をサーバ装置にて管理、蓄積することが可能となるため、販売促進活動などの各種の活動、分析などに利用することが可能となる。
【００３０】
このように、ＵＲＬ情報で示されるサーバ装置にて利用者の動向を管理・分析することによって、いわばリモコンの利用者を自然に管理することが可能となる。つまり、通常インターネットを閲覧する場合にはポータルページ（ホームページ）が最初に表示され、その後に、各サイトにブラウジングをするという動作がなされる。ところが、今後はリモコン装置とリモコン信号受信装置によって、容易にブラウジング処理を行うことが実現することが想定される。つまり、閲覧したいページを、リモコン装置のボタンを押下することでダイレクトにアクセスすることが想定されるため、リモコン自体がポータルページにとって変わる可能性が出てくることになる。このように肉体的感覚により近いリモコン装置がポータルページとして利用される状況下においては、どのリモコン信号受信装置を通じてアクセスされたかサーバ装置にて管理することで、利用者の動向をより詳細に把握することが可能となる。
【００３１】
<実施形態２の処理の流れ>
図１０は、本実施形態におけるリモコン信号受信装置の処理の流れの一例を示す図である。Ｓ１００３までの処理については実施形態１で説明したものと同様である。Ｓ１００４においては、保持しているＵＲＬ情報を取得する。そして、リモコン信号に応じた情報とＩＤ情報と、ＵＲＬ情報とを含むアクセス情報を生成する（Ｓ１００５）。そして、Ｓ１００５にて取得したアクセス情報をブラウザ装置に読取可能に出力する（Ｓ１００６）。なお、図示していないが、その後ブラウザ装置においては、アクセス情報を用いてサーバ装置に対してアクセスする処理（例えばウェブページ閲覧要求）が行われる。
【００３２】
<実施形態２の効果>
本実施形態におけるリモコン信号受信装置は、処理情報としてＵＲＬ情報で示されるサーバ装置に対してアクセスするためのアクセス情報を出力することで、リモコン信号受信装置のＩＤ情報をサーバ装置に対して送信することが可能となる。そして、サーバ装置においてはＩＤ情報を識別することができるため、どのリモコン信号受信装置に入力されたリモコン信号をトリガーにして閲覧要求がなされたかについての情報を管理することが可能となる。
【００３３】
<リモコン信号受信装置の具体的構成態様>
図１１は、実施形態１又は２で説明したリモコン信号受信装置の具体的な構成例を示す図である。図１１で示すリモコン信号受信装置は、リモコン信号受信部を構成する受光素子１１０１、受光回路１１０２や、ＩＤ情報保持部を構成するＲＯＭ１１０４や、処理情報出力部を構成する制御回路１１０３、出力回路１１０５などから構成される。以下、リモコン信号を受信した場合のリモコン信号受信装置の簡単な動作を説明する。まず、受光素子にてリモコン信号を受信する。そして、受信したリモコン信号は受光回路を経由して増幅処理などが行われ、制御回路へと入力される。制御回路では、受信したリモコン信号を判別する。そして、受信したリモコン信号の種別が、ＩＤ情報を送信する種別の信号である場合には、制御回路は、ＲＯＭに格納されている各リモコン信号受信装置固有のＩＤ情報を読出し、リモコン信号に応じた情報とともに処理情報として出力回路に送出する。出力回路では、例えばＵＳＢ規格の信号フォーマットに処理情報を変換して図外のブラウザ装置に対して処理情報を出力する。
【００３４】
<<実施形態３>>
<実施形態３の概要>
本実施形態は、実施形態１又は２で説明したリモコン信号受信装置と、ブラウザ装置と、サーバ装置と、からなる情報システムに関するものである。実施形態１又は２においては、リモコン信号受信装置に主眼を当てて説明を行ったが、本実施形態においては、その他の装置との協業処理などを中心に説明を行う。図１２は、本実施形態における概要を説明するための図である。図１２で示すように、リモコン装置１２０１から送信されたリモコン信号は、リモコン信号受信装置１２０２にてＩＤ情報を含まれた情報に変換されてブラウザ装置１２０３に対して出力される。そして、ブラウザ装置ではリモコン信号受信装置からの処理情報を利用してサーバ装置に対して例えばウェブページの閲覧要求を出力する。本実施形態の特徴は、リモコン信号受信装置のＩＤ情報がサーバ装置に対して送信されることが可能である点が挙げられる。
【００３５】
<実施形態３の構成>
図１３に本実施形態における機能ブロック図の一例を示す。図１３に示す「情報システム」（１３００）は、「リモコン信号受信装置」（１３１０）と、「ブラウザ装置」（１３２０）と、「サーバ装置」（１３３０）と、からなる。「リモコン信号受信装置」（１３１０）は、「ＩＤ情報保持部」（１３１１）と、「リモコン信号受信部」（１３１２）と、「処理情報出力部」（１３１３）と、「ＵＲＬ情報保持部」（１３１４）と、を有する。処理情報出力部１３１３は、「アクセス情報出力手段」（１３１５）を有する。「ブラウザ装置」（１３２０）は、「処理情報転送部」（１３２１）を有する。「サーバ装置」（１３３０）は、「管理部」（１３３１）を有する。リモコン信号受信装置１３１０における各構成については、実施形態１又は２で説明したものと同様であるため、ここでの説明は省略する。
【００３６】
「ブラウザ装置」１３２０は、既に説明したとおり、インターネットを閲覧するブラウザ機能を有している装置のことであり、ＰＣやゲーム装置などが該当する。なお、既に説明したように、後付型のリモコン信号受信装置と接続するためのＵＳＢポートを備えていることが好ましい。
【００３７】
ブラウザ装置の「処理情報転送部」１３２１は、リモコン信号受信装置１３１０から出力されるアクセス情報に含まれるＩＤ情報及び、処理情報のうち受信したリモコン信号に応じた情報の全部又は一部であるリモコン情報をサーバ装置１３３０に出力する。つまり、処理情報転送部は、「ＩＤ情報」と、「リモコン情報」をＵＲＬ情報で示されるサーバ装置に対して出力する。図１４を用いてこれらの情報の関係について説明する。まず、リモコン装置１４３０から「２０９５」というリモコン信号が赤外線通信を通じてリモコン信号受信装置に対して送信される。すると、リモコン信号受信装置１４２０では、自身に保持しているＵＲＬ情報「http://lipii.jp」と、ＩＤ情報「１０１１」と、を取得する。そして、リモコン信号に応じた情報「２０９５」をこれらの情報と併せて、図１４で示すようなアクセス情報「http://lipii.jp/1011/2095/」を例えばキーボード信号形式でブラウザ装置１４１０に対して出力する。そして、ブラウザ装置は、この受信したアクセス情報「http://lipii.jp/1011/2095/」を用いてＵＲＬ情報「http://lipii.jp」で示されるサーバ装置に対してアクセスする。これは、ＵＲＬ情報「http://lipii.jp」で示されるサーバ装置からみると、ＩＤ情報「１０１１」と、リモコン情報「２０９５」がブラウザ装置から転送されてきたと表現できる。なお、図１４の例においては、リモコン信号に応じた情報の全部であるリモコン情報を利用する例について説明したが、リモコン信号に応じた情報の一部であるリモコン情報を利用してもよい。例えば、リモコン装置１４３０の所定のボタンを押下した場合の信号（「信号Ａ」とする）を基にリモコン信号受信装置１４２０に保持されているテーブルを参照して「信号Ａ」と関連付けられている「２０９５」が生成されて出力されてもよい。なお、図１４ではＵＲＬ情報やＩＤ情報には「／」が含まれておらず、アクセス情報とする場合に「／」を自動的に挿入する制御を行っている例を示しているが、ＵＲＬ情報やＩＤ情報自体が「／」を含んだ情報であってもよい。
【００３８】
次に、図１３に戻り、サーバ装置に関する構成について説明する。サーバ装置１３３０は、例えばコンテンツを提供するコンテンツサーバであってもよいし、他のＵＲＬで示されるサーバ装置に対して転送させるための転送サーバであってもよい。なお、図１３でいうところのサーバ装置は、「前記ＵＲＬ情報」で示されるサーバ装置である。すなわち、リモコン信号受信装置に保持されているＵＲＬ情報にて示されるサーバ装置となる。
【００３９】
サーバ装置の「管理部」１３３１は、前記ブラウザ装置の処理情報転送部１３２１から転送された処理情報に含まれるＩＤ情報と、リモコン情報とを関連付けて管理する。既に説明したように、ブラウザ装置からはリモコン信号受信装置のＩＤ情報と、リモコン信号に応じた情報であるリモコン情報が転送される。よって、これらの情報をサーバ装置にて管理することで、その後の販売促進活動や、分析処理などおいて有用な情報とすることができる。図１５は、管理部にて管理されている情報の一例を示す図である。図１５（ａ）は、ブラウザ装置から転送された情報を保持するテーブルの一例を示している。図１５（ａ）では、ＩＤ情報「１０１１」で識別されるリモコン信号受信装置を通じて、リモコン情報として「２０９５」「Ｅ２２Ｂ」「ＵＥＮＯ」といった情報が転送されたことなどが示されている。なお、リモコン信号に応じた情報であるリモコン情報は、図１５に示すように、数字のほか、英字や、英字と数字の組み合わせた情報などであってもよい。そして、サーバ装置は図１５（ｂ）で示すように、ＩＤ情報に基づいた顧客情報を関連付けたテーブルを保持することができる。この場合には、図１５（ａ）のＩＤ情報を図１５（ｂ）のテーブルのキーとして利用することで、どのような顧客属性を有するユーザから、どのような情報が入力されたかを判別することが可能となる。
【００４０】
なお、サーバ装置では、リモコン情報を用いて様々なサービスを行うことができる。例えば、次の実施形態で説明するように、他のサーバ装置に対して転送させることも可能である。あるいは、サーバ装置が例えば世論調査専用のサーバ装置である場合には、ＩＤ情報とリモコン情報とを利用して、調査回答と顧客属性とを関連付けて分析することによって、より正確な世論調査を収集するといったことも可能である。
【００４１】
<実施形態３の処理の流れ>
図１６は、実施形態３における処理の流れの一例を示すシーケンス図である。まず、リモコン信号受信装置が図外のリモコン装置からリモコン信号を受信する（Ｓ１６０１）。リモコン信号受信装置においては、既に説明したようにＩＤ情報の取得などが行われる。そして、リモコン信号受信装置からブラウザ装置に対してＩＤ情報やリモコン情報が含まれたアクセス情報が例えばキーボード信号形式で出力される。これを受けて、ブラウザ装置では、アクセス情報に含まれるＵＲＬ情報にて示されるサーバ装置に対してＩＤ情報とリモコン情報が含まれた処理情報を転送する（Ｓ１６０３）。なお、アクセス情報は処理情報として送信される情報であり、いずれもＩＤ情報やリモコン情報を含んだ情報である点は同じである。
【００４２】
<実施形態３の効果>
本実施形態における情報システムは、リモコン信号受信装置のＩＤ情報と、リモコン情報がサーバ装置に対してブラウザ装置から転送されてくることにより、サーバ装置にて、ＩＤ情報とリモコン情報とを関連付けて管理することが可能となる。この結果、例えばＩＤ情報に基づいて顧客属性を判断することも可能となるため、どのようなユーザが、どのようなリモコン信号を送信したのかをサーバ装置にて把握することができるため、有用な情報分析を容易に行うことが可能となる。
【００４３】
<<実施形態４>>
<実施形態４の概要>
本実施形態は、実施形態３で説明したサーバ装置が転送サーバである場合の例を説明する。すなわち、リモコン信号受信装置からブラウザ装置に対して出力されるアクセス情報には、リモコン信号受信装置にて保持しているＵＲＬ情報で示されるサーバ装置とは別のサーバ装置に関する情報が含まれることを特徴とする。
【００４４】
<実施形態４の構成>
図１７に本実施形態における機能ブロック図の一例を示す。図１７に示す「情報システム」（１７００）は、「リモコン信号受信装置」（１７１０）と、「ブラウザ装置」（１７２０）と、「サーバ装置」（１７３０）と、からなる。「リモコン信号受信装置」（１７１０）は、「ＩＤ情報保持部」（１７１１）と、「リモコン信号受信部」（１７１２）と、「処理情報出力部」（１７１３）と、「ＵＲＬ情報保持部」（１７１４）と、を有する。処理情報出力部１７１３は、「アクセス情報出力手段」（１７１５）を有する。アクセス情報出力手段１７１５は、「他ＵＲＬ情報出力器」（１７１６）を有する。「ブラウザ装置」（１７２０）は、「処理情報転送部」（１７２１）を有する。処理情報転送部１７２１は、「他ＵＲＬ情報識別情報転送手段」（１７２２）を有する。「サーバ装置」（１７３０）は、「管理部」（１７３１）を有する。他ＵＲＬ情報出力器１７１５と、他ＵＲＬ情報識別情報転送手段１７２２と、を除く各構成については、実施形態３で説明したものと同様であるため、ここでの説明は省略する。
【００４５】
リモコン信号受信装置のアクセス情報出力手段の「他ＵＲＬ情報出力器」１７１５は、リモコン信号に応じて取得される前記ＵＲＬ情報と異なる他のＵＲＬ情報をサーバ装置１７３０にて識別させるための他ＵＲＬ情報識別情報を含むアクセス情報を出力する。他ＵＲＬ情報識別情報は、リモコン信号受信装置にて保持されているＵＲＬ情報で示される「サーバ装置」が、所定のＵＲＬ情報を識別するための情報である。従って、リモコン信号受信装置からブラウザ装置に対して出力されるアクセス情報に含まれる他ＵＲＬ情報識別情報は、ＵＲＬ形式の情報である必要はない。図１８を用いて説明する。図１８は、実施形態３で説明した図１４と基本的には同じ図面である。異なる点は、リモコン情報がそのまま他ＵＲＬ情報識別情報であることが明記されている点である。すなわち、他ＵＲＬ情報識別情報とは、このように単なる数字、英数字などの情報であってよい。また、他ＵＲＬ情報識別情報は、リモコン信号から入力される信号に応じて取得される情報である。よって、リモコン装置のユーザが任意のＵＲＬへアクセスするために入力されることになる。この他ＵＲＬ情報識別情報を利用する例としては、例えばサーバ装置において他ＵＲＬ識別情報をＵＲＬに変換する変換テーブルを有しており、そのテーブルに基づいて該当するＵＲＬを抽出して利用する場合が挙げられる。
【００４６】
ブラウザ装置の処理情報転送部の「他ＵＲＬ情報識別情報転送手段」１７２２は、他ＵＲＬ情報識別情報をリモコン情報として転送する。そして、サーバ装置においては、受信した処理情報に含まれるＩＤ情報とリモコン情報（他ＵＲＬ情報識別情報）を管理する。図１９は、サーバ装置における管理部が有する管理テーブルの一例を示す図である。なお、図１９（ａ）と、図１９（ｂ）については、実施形態３で説明した図１５（ａ）と図１５（ｂ）と同様である。図１９（ｃ）においては、リモコン情報（他ＵＲＬ情報識別情報）とＵＲＬ情報とが関連付けられたテーブルを示している。つまり、図１９の例においては、リモコン信号に応じて取得されるリモコン情報が他ＵＲＬを識別するための情報である点が特徴である。例えば、ＩＤ情報１０１１で識別されるリモコンユーザ（正確には、リモコン信号受信装置ユーザ）は、「東京に住む会社員であって、妻子がいる２７歳の男性である」との情報を有しており、このユーザが「http://www.quixun.co.jp/」や「http://www.mevael.co.jp/」のＵＲＬを確実に閲覧した、との情報をサーバ装置にて管理することが可能となる。この仕組みは、サーバ装置が転送サーバである場合に容易に実現することが可能となる。具体的には、転送サーバは、受信したＨＴＴＰリクエストの例えば第一番目の区切り部分「／」までをＩＤ情報として取得し、その後の部分を他のＵＲＬを識別するための情報（他ＵＲＬ情報識別情報）として取得する。そして、他ＵＲＬ情報識別情報をキーとする転送テーブルを検索して、該当するＵＲＬをブラウザ装置が閲覧するように処理を行うことでユーザは所望のＵＲＬへとアクセスすることができる。つまり、リモコンユーザが、どのＵＲＬにアクセスしたかについての情報を、リモコン信号受信装置というハードウェアを通じてサーバ装置にて取得することが可能となる。また、リモコン信号受信装置のＩＤ情報は、一例としては書換え不能な領域に格納されており、改ざんされる可能性が極めて低いため、信頼性の高いデータを収集することが可能となる。
【００４７】
<実施形態４の処理の流れ>
図２０は、実施形態４における処理の流れの一例を示すシーケンス図である。Ｓ２００２においては、リモコン情報として他ＵＲＬ情報が含まれる点を明示している。なお、Ｓ２００３までの処理の流れについては、実施形態３で説明したものと同様であるため、ここでの説明は省略する。ブラウザ装置から処理情報を受信したサーバ装置は、例えば処理情報に含まれるＩＤ情報と、他ＵＲＬ情報識別情報とを関連付けて管理する。一方で、他ＵＲＬ情報識別情報で識別される他のＵＲＬのＵＲＬ情報を取得する。そして、その他のＵＲＬ情報で示されるサーバ装置（コンテンツサーバ）に対して、ブラウザ装置からの閲覧要求があったことを通知する（閲覧要求転送  Ｓ２００４）。これを受けて、コンテンツサーバは該当するウェブページをブラウザ装置に対して送信する（Ｓ２００５）。
【００４８】
<実施形態４の効果>
実施形態４においては、リモコン信号に応じて取得された他ＵＲＬ情報識別情報が、ＩＤ情報とともにサーバ装置に対して送信される。これにより、サーバ装置では、どのリモコンユーザをどのウェブサーバに転送したかについての情報を管理することができる。このため、より現実的なアクセス解析などを実現することができる。
【００４９】
<<実施形態５>>
<実施形態５の概要>
本実施形態は、実施形態４で説明した転送サーバが、その転送先のＵＲＬをブラウザ装置に対して送信することを特徴とするものである。すなわち、転送先のＵＲＬの閲覧方法が実施形態４の「処理の流れ」で説明したものと異なる点が特徴である。
【００５０】
<実施形態５の構成>
図２１に本実施形態における機能ブロック図の一例を示す。図２１に示す「情報システム」（２１００）は、「リモコン信号受信装置」（２１１０）と、「ブラウザ装置」（２１２０）と、「サーバ装置」（２１３０）と、からなる。「リモコン信号受信装置」（２１１０）は、「ＩＤ情報保持部」（２１１１）と、「リモコン信号受信部」（２１１２）と、「処理情報出力部」（２１１３）と、「ＵＲＬ情報保持部」（２１１４）と、を有する。処理情報出力部２１１３は、「アクセス情報出力手段」（２１１５）を有する。アクセス情報出力手段２１１５は、「他ＵＲＬ情報出力器」（２１１６）を有する。「ブラウザ装置」（２１２０）は、「処理情報転送部」（２１２１）を有する。処理情報転送部２１２１は、「他ＵＲＬ情報識別情報転送手段」（２１２２）を有する。「サーバ装置」（２１３０）は、「管理部」（２１３１）と、「他情報出力部」（２１３２）を有する。他情報出力部２１３２を除く各構成については、実施形態４で説明したものと同様であるため、ここでの説明は省略する。
【００５１】
サーバ装置の「他情報出力部」２１３２は、取得する処理情報に含まれる他ＵＲＬ情報識別情報により識別される他ＵＲＬ情報により示される情報を前記ブラウザ装置に出力する。すなわち、ブラウザ装置からの処理情報を受信した場合に、当該処理情報を出力したブラウザ装置に対して、転送先のＵＲＬ情報を送信する。
【００５２】
<実施形態５の処理の流れ>
図２２は、実施形態５における処理の流れの一例を示すシーケンス図である。Ｓ２２０３までの処理については、実施形態４で説明したものと同様である。ブラウザ装置から処理情報を受信したサーバ装置は、例えば処理情報に含まれるＩＤ情報と、他ＵＲＬ情報識別情報とを関連付けて管理する。一方で、他ＵＲＬ情報識別情報で識別される他のＵＲＬのＵＲＬ情報を取得する。そして、ブラウザ装置に対して他のＵＲＬのＵＲＬ情報（転送先ＵＲＬ情報）を送信する（Ｓ２２０４）。これを受けてブラウザ装置は、その転送先のＵＲＬで示されるサーバ（コンテンツサーバ）に対して閲覧要求を送信する（Ｓ２２０５）。これを受けて、コンテンツサーバでは該当するウェブページを送信する（Ｓ２２０６）。
【００５３】
<具体的構成態様>
図２３は、サーバ装置とブラウザ装置との具体的な構成態様の一例を示す図である。図２３（ａ）で示すブラウザ装置は、一般的なＰＣと同様の構成を有している。実施形態に則して説明すると、例えば、処理情報転送部としてのＣＰＵ２２１１、ＲＡＭ２２１２、Ｉ／Ｏ２２１２などから構成されている。ブラウザ装置のＣＰＵは、ＲＡＭに記憶されているプログラムに従って動作を行う。例えば、ＣＰＵは、Ｉ／Ｏを通じて取得したキーボード形式の処理情報によって割り込み制御を行う。そして、その処理情報を入力することで、ＲＡＭに読み出されたブラウザアプリケーションを起動する。そして、サーバ装置に対してＩ／Ｏを通じてアクセスするためのリクエスト情報をＨＴＴＰプロトコルを利用して送信する。
【００５４】
一方、図２３（ｂ）で示されるサーバ装置も、同様に一般的なサーバ装置と同様の構成を有している。実施形態に則して説明すると、管理部としてのＣＰＵ２２２１、ＲＡＭ２２２２、ＨＤ２２２５や、他情報出力部としてのＩ／０２２２３などから構成されている。サーバ装置のＣＰＵは、ＲＡＭに記憶されているプログラムに従って動作を行う。例えば、Ｉ／Ｏを通じてブラウザ装置からの処理情報を受信すると、その処理情報をＨＤに記憶する。そして、ＨＤに保持しているテーブルを参照して、転送先の他のＵＲＬ情報をＣＰＵは取得し、Ｉ／Ｏを通じてブラウザ装置などに対して送信する。
【００５５】
<<実施形態６>>
<実施形態６の概要>
実施形態６は、リモコン装置と、リモコン信号受信装置と、からなるリモコンシステムに関するものである。そして、リモコン装置が自身の識別情報を有しており、このリモコン装置の識別情報をも処理情報に含めてリモコン信号受信装置から出力される点が特徴である。
【００５６】
<実施形態６の構成>
図２４に本実施形態における機能ブロック図の一例を示す。図２４に示す「リモコンシステム」は、「リモコン装置」（２４１０）と、「リモコン信号受信装置」（２４２０）と、からなる。リモコン装置２４１０は、「リモコン信号送信部」（２４１１）を有する。リモコン信号受信装置２４２０は、「ＩＤ情報保持部」（２４２１）と、「リモコン信号受信部」（２４２２）と、「第二処理情報出力部」（２４２３）と、を有する。リモコン装置２４１０と、第二処理情報出力部２４２３と、を除く各構成については、実施形態１で説明したものと同様であるため、ここでの説明は省略する。また、実施形態２から５を基本として、処理情報出力部を第二処理情報出力部と置き換え、さらにリモコン装置を備えた構成をとることも可能である。
【００５７】
「リモコン装置」（２４１０）は、先の実施形態などで説明したリモコン信号を送信する装置である。リモコン装置は、赤外線通信機能や、Ｂｌｕｅｔｏｏｔｈ（登録商標）などを用いてリモコン信号を出力する。なお、リモコン装置はこれらの機能を有する携帯端末装置であってもよい。
【００５８】
「リモコン信号送信部」２４１１は、リモコン信号とともに、リモコン装置を識別するためのリモコン装置識別情報を送信する。リモコン装置識別情報を送信することで、これを受けたリモコン信号受信装置などにおいては、どのリモコン装置の利用者から送信されたリモコン信号であるかを把握することが可能となる。なお、リモコン信号送信部２４１１は、必ずしもリモコン装置識別情報を送信しなくてもよい。つまり、リモコン装置は、リモコン信号のみを送信してもよいし、あるいは、リモコン信号とともにリモコン装置識別情報を送信してもよい。
【００５９】
リモコン信号受信装置の「第二処理情報出力部」２４２３は、受信したリモコン信号及びリモコン装置識別情報に応じた情報と、ＩＤ情報保持部に保持されているＩＤ情報と、を含む処理情報をブラウザ装置に読取可能に出力する。すなわち、第二処理情報出力部は、実施形態１から５のいずれかで説明したものと異なり、リモコン装置識別情報に応じた情報をも処理情報に含めて出力する点である。かかる構成により、リモコン信号受信装置から出力させる信号（情報）は、リモコン信号に応じた情報と、リモコン装置識別情報と、リモコン信号受信装置のＩＤ情報の３つの情報となる。なお、出力先のブラウザ装置やサーバ装置においては、リモコン信号識別情報の識別方法に関する所定のルールを有しており、そのルールに従って、リモコン装置の利用者の利用者属性（性別、地域など）を判別することも可能である。
【００６０】
<実施形態６の効果>
実施形態６は、リモコン装置からリモコン装置識別情報が送信されることにより、リモコン装置の利用者を識別することが可能となる。よって、かかる情報を利用して各種の視聴率調査などを行うことも可能である。
【図面の簡単な説明】
【００６１】
【図１】実施形態１を説明するための概念図
【図２】実施形態１を説明するための機能ブロック図
【図３】キーボード信号のキーコードを説明するための図
【図４】実施形態１のリモコン信号受信装置の一態様の外観を示す図
【図５】実施形態１のリモコン信号受信装置の利用場面の一例を示す図
【図６】実施形態１の処理の流れを説明するための図
【図７】実施形態２を説明するための機能ブロック第一図
【図８】実施形態２を説明するための機能ブロック第二図
【図９】アクセス情報を説明するための図
【図１０】実施形態２の処理の流れを説明する図
【図１１】リモコン信号受信装置の具体的構成態様の一例を示す図
【図１２】実施形態３を説明するための概念図
【図１３】実施形態３を説明するための機能ブロック図
【図１４】実施形態３のＩＤ情報とリモコン情報を説明するための図
【図１５】実施形態３のサーバ装置の管理部にて有する管理テーブルの一例を示す図
【図１６】実施形態３のシステム全体の処理の流れを説明するシーケンス図
【図１７】実施形態４を説明するための機能ブロック図
【図１８】実施形態４の他ＵＲＬ情報識別情報を説明するための図
【図１９】実施形態４のサーバ装置の管理部にて有する管理テーブルの一例を示す図
【図２０】実施形態４のシステム全体の処理の流れを説明するためのシーケンス図
【図２１】実施形態５を説明するための機能ブロック図
【図２２】実施形態５のシステム全体の処理の流れを説明するためのシーケンス図
【図２３】ブラウザ装置とサーバ装置の具体的構成態様の一例を示す図
【図２４】実施形態６を説明するための機能ブロック図
【符号の説明】
【００６２】
０２００  リモコン信号受信装置
０２０１  ＩＤ情報保持部
０２０２  リモコン信号受信部
０２０３  処理情報出力部
１４１０  ブラウザ装置
１４２０  リモコン信号受信装置
１４３０  リモコン装置
【図１】
2007324928.tif 000003
【図２】
2007324928.tif 000004
【図３】
2007324928.tif 000005
【図４】
2007324928.tif 000006
【図５】
2007324928.tif 000007
【図６】
2007324928.tif 000008
【図７】
2007324928.tif 000009
【図８】
2007324928.tif 000010
【図９】
2007324928.tif 000011
【図１０】
2007324928.tif 000012
【図１１】
2007324928.tif 000013
【図１２】
2007324928.tif 000014
【図１３】
2007324928.tif 000015
【図１４】
2007324928.tif 000016
【図１５】
2007324928.tif 000017
【図１６】
2007324928.tif 000018
【図１７】
2007324928.tif 000019
【図１８】
2007324928.tif 000020
【図１９】
2007324928.tif 000021
【図２０】
2007324928.tif 000022
【図２１】
2007324928.tif 000023
【図２２】
2007324928.tif 000024
【図２３】
2007324928.tif 000025
【図２４】
2007324928.tif 000026